(57)【特許請求の範囲】
【請求項１】
合成樹脂製本管の適宜個所に合成樹脂製立上げ管を立設して当該立上げ管の上端に散水ノズルを連結した状態でコンクリートに埋め込むことにより構成した消雪用散水ノズル付き配管ブロック装置に関し、合成樹脂製本管における合成樹脂製立上げ管の立設個所の壁に内外に連通する雌ネジを穿設し、この雌ネジに当該雌ネジに螺合する管状雄ネジを下端に設けた短管状ソケットを本管の内外に連通する状態で螺着し、このソケットの上端管状部の内周面に環状溝を設けてこれにOリングを嵌着し、この上端管状部内に合成樹脂製立上げ管の下端を押込み入れ操作により連結して成ることを特徴とする消雪用散水ノズル付き配管ブロック装置。
【発明の詳細な説明】
【０００１】
【発明が属する技術分野】
本発明は、道路や駐車場等の路面に埋設する消雪用散水ノズル付き配管ブロック装置に関し、詳しくは本管に対する立上り管の連結手段および立上り管に対する散水ノズルの連結手段に主に改良を施した消雪用散水ノズル付き配管ブロック装置に関する。
【０００２】
【従来の技術】
従来、消雪用散水ノズル付き配管ブロック装置の構成に鋼管が使用されていたが、この鋼管使用のものは塩害による腐食により短期間のうちに閉塞を起し、十分な機能を発揮しない事態を発生し易かった。
【０００３】
このような背景から、近年、鋼管に代わるものとして塩化ビニル管（以下、塩ビ管と称する。）が用いられてきている。
【０００４】
そして、消雪用散水ノズル付き配管ブロック装置も立上げ管に塩ビ管を用いられ、本管に穿設した孔に溶接により連結され、溶接部に応力が集中しやすい構造となっていた。このため、車両荷重等の繰返し荷重が作用した場合、立上げ管と本管の溶接部が疲労劣化し易く、また塩ビ管の線膨張係数がコンクリートと比べ約７倍もあることから、コンクリートの蒸気養生や水和熱による温度変化によって塩ビ管に好ましくない拘束力が作用する。
【０００５】
そこで、本発明者は、立上げ管構造の改良を目的として、種々の改良案タイプについて、温度変化および疲労の点からそれぞれ検討を行った結果、載荷重よりも温度変化によるひずみの方が付け根部に大きな応力が生じていること、立上り管に作用する応力は本管に作用する応力よりも比較的大きいこと、養生時のコンクリート打設時の温度変化による影響も大きいこと等を確認し、そして上記改良案の中から本発明構造タイプを見出したものである。
【０００６】
【発明が解決しようとする課題】
本発明は、立上り管の付け根部にかかる載荷重や温度変化による応力の吸収、立上り管に作用する応力の吸収、養生時のコンクリート打設時の温度変化による影響の吸収を顕著に果たして好結果を出す容易に工夫した新規の構造の消雪用散水ノズル付き配管ブロック装置を提供することを目的とするものである。
【０００７】
【課題を解決するための手段】
上記の目的を達成するために、合成樹脂製本管の適宜個所に合成樹脂製立上げ管を立設して当該立上げ管の上端に散水ノズルを連結した状態でコンクリートに埋め込むことにより構成した消雪用散水ノズル付き配管ブロック装置に関し、合成樹脂製本管における合成樹脂製立上げ管の立設個所の壁に内外に連通する雌ネジを穿設し、この雌ネジに当該雌ネジに螺合する管状雄ネジを下端に設けた短管状ソケットを本管の内外に連通する状態で螺着し、このソケットの上端管状部の内周面に環状溝を設けてこれにOリングを嵌着し、この上端管状部内に合成樹脂製立上げ管の下端を押込み入れ操作により連結して成るものである。
【０００９】
消雪用散水ノズル付き配管ブロック装置は、本管、立上り管、ソケットが塩ビ製等の合成樹脂である。
【００１１】
【実施例】
図に示す実施例は、塩ビ管製本管１の適宜個所に塩ビ製ソケット２を介して塩ビ管製立上げ管３を立設し、この立上げ管３の上端に散水ノズル４を取付けた状態でこれ等をコンクリート５に埋め込んだ長尺構成の消雪用散水ノズル付き配管ブロック装置である。
【００１２】
上記の塩ビ管製本管１は、管径が大きくなっている受口６をその両端部に一体に形成し、これ等各受口６の内周面に環状溝を設けて当該環状溝にシールパッキン（図示せず）を装着したものであって、適宜個所に上向きに開口する雌ネジ７を穿設してある。
【００１３】
ソケット２は、上側半分を径大な短管部とし下半分を径小な短管としてこれ等大径短管部８、径小短管部９の連続個所に段部１０を形成すると共に大径短管部８の内周面に上下２段の環状溝１１を設け、これ等各環状溝１１にスチレンブタジエンゴム製のOリング１２を嵌着し、また径小短管部９の外周面に上記雌ネジ７に螺着する雄ネジ１３を刻設してあり、そして大径短管部８の上方部の外周にスパナ掛け用切欠（図示せず）を設けてある。
【００１４】
立上げ管３は、ゴム系材料の入っている耐衝撃性塩ビ管（ハイパー塩ビ管）であって、上下両端部外周がテーパ１４，１５となっているものである。
【００１５】
散水ノズル４は、頂面に散水口（図示せず）を、下端に下方に向って開口する連結口１７を有し、内部にはここでは詳述しないが、散水の開始・停止および散水量の調節機能をなす調節機構（図示せず）を蔵しているものであり、また連結口１７はその内端に突当り段部１８を、内周面に上下２段の環状溝１９をそれぞれ設けてあり、各環状溝１９にはスチレンブタジエンゴム製のOリング２０を嵌着してある。
【００１６】
すなわち、上記の実施例は、例えば本管１に設けた雌ネジ７にソケット２の雄ネジ１３を螺着し、この螺着後に当該ソケット２の大径短管部８に立上げ管３の下端を押込み操作により連結すると共に当該立上げ管３の上端に散水ノズル４の連結口１７を押込み操作により連結し、よって本管１に散水ノズル４を取付けた状態でこれ等をコンクリート５に埋め込んだものである。
【００１７】
ソケット２の大径短管部８および散水ノズル４の連結口１７の内径よりも立上げ管３の外径を僅かに細くして当該立上り管３を僅かに動ける状態とし、これにより押込み操作をし易くする等してある。また、図中２１はパッキンであり、本発明はこのパッキンを無くしてソケット２を直に本管１に溶接すること、雌ネジ７と雄ネジ１３の螺合部を接着剤の流し込みで接着固定してシールすること、等でソケットの取付を行うことができ、また上記耐衝撃性塩ビ管（ハイパー塩ビ管）の代りに普通塩ビ管を使用することができる。
【００１８】
【作用】
本発明は、上記のような構成であるので、塩ビ管製立上り管とコンクリートとの間の付着力が鋼管とコンクリートのそれよりも顕著に大きく、コンクリートと塩ビ管製立上り管がOリングの弾性により許容されてほぼ一体の状態で挙動し、載荷時の応力、温度変化による応力や振動がOリングのところで抑えられ吸収される。
【００１９】
【発明の効果】
本発明に係る消雪用散水ノズル付き配管ブロック装置は、上記の通り塩ビ管製立上り管に対して外部から許容範囲内（限界内）の応力や振動を受けるもこれをOリング及び短管状ソケットと本管の螺着部が吸収するもので塩ビ管製本管や散水ノズルには伝わりにくいものであって、塩ビ管製本管における立上り管の付け根部（すなわちソケットの付け根部）に対する載荷重や温度変化による応力の吸収機能、立上り管に作用する応力の吸収機能、養生時のコンクリート打設時の温度変化による影響の吸収機能を備えたものであり、好結果を出す新規の構造の消雪用散水ノズル付き配管ブロック装置を提供するという所期の目的を完全に達成する著効を奏するものであり、しかも例えば塩ビ管製立上り管を交換する必要が生じた場合には比較的簡単且つ楽に行うことができる利点があり、また多少の芯ズレも吸収できるものである。
【図面の簡単な説明】
【図１】本発明の一つの実施例を示す要部の拡大断面図である。
【図２】同じく全体の概略正面図である。
【符号の説明】
１  塩ビ管製本管
２  塩ビ製ソケット
３  塩ビ管製立上げ管
４  散水ノズル
５コンクリート
６  受口
７  雌ネジ
８  大径短管部
９  径小短管部
１０  段部
１１  環状溝
１２  Oリング
１３  雄ネジ
１４、１５  テーパ
１７  連結口
１８  段部
１９  環状溝
２０  Oリング
２１  パッキン
【図１】
0003686010.tif 000002
【図２】
0003686010.tif 000003